(57)【特許請求の範囲】
【請求項１】
中空針と、該中空針の後端を保持する保持筒と、該保持筒と一体に形成され可撓性の一対の翼とを備えた翼付針を収納する翼付針用プロテクタにおいて、略筒状のプロテクタ本体の側壁を先端から軸方向に沿って切り込んで前記中空針より長く、かつ、合掌状態の前記一対の翼が摺動可能な１本のスリットを設け、該プロテクタ本体の側壁を周方向について該スリットよりも幅広に切り欠いて拡翼状態の前記一対の翼を嵌める１つの翼用溝を該スリットに連続して設け、
前記プロテクタ本体の周方向について前記翼用溝の幅が、前記一対の翼が前記合掌状態から、該一対の翼が完全に開いている通常状態に戻る手前の状態である前記拡翼状態において、該一対の翼が該翼用溝に嵌まるように設定されていることを特徴とする翼付針用プロテクタ 。
【発明の詳細な説明】
【０００１】
【発明の属する技術分野】
本発明は、採血等の医療行為に使用される翼付針に関する。
【０００２】
【従来の技術】
従来、中空針と、該中空針の後端を保持する保持筒と、該保持筒と一体に形成され可撓性の１対の翼とを備えた翼付針が採血等の医療行為に使用されている。医療行為者は両翼を合掌状態にして挟持し、中空針を患者の血管に穿入し、しかる後に両翼を拡げて粘着テープにより患者の皮膚に貼り付けて中空針を固定する。そして、中空針を介して患者の血管からの採血等を行う。使用済みとなった翼付針は患者から取り外されて廃棄されるが、中空針がむき出しになっていると廃棄処理を行う者が中空針に刺されたり、触れたりして病原菌などに感染するおそれがある。
【０００３】
針刺し事故や感染を回避するため、略円筒状のプロテクタ本体の側壁に軸方向に沿って径方向に略対称に１対のスリットを設けた翼付針用プロテクタが用いられている。かかる翼付針用プロテクタによれば、拡がった状態の翼がスリットの先端から後方に徐々に摺動して挿入され、これに伴い中空針も徐々に後方に移動してプロテクタ本体内に収納される。しかし、一定以上の力により翼がスリットに沿って先端方向に摺動可能であるので、中空針が翼付針用プロテクタの先端から突出し、針刺し事故や感染が起こるおそれが残る。
【０００４】
【発明が解決しようとする課題】
本発明はかかる不都合を解消して、確実に針刺し事故や感染を回避することのできる翼付針用プロテクタを提供することを目的とする。
【０００５】
【課題を解決するための手段】
前記課題を解決するための本発明の翼付針用プロテクタは、中空針と、該中空針の後端を保持する保持筒と、該保持筒と一体に形成され可撓性の一対の翼とを備えた翼付針を収納する翼付針用プロテクタにおいて、略筒状のプロテクタ本体の側壁を先端から軸方向に沿って切り込んで前記中空針より長く、かつ、合掌状態の前記一対の翼が摺動可能な１本のスリットを設け、該プロテクタ本体の側壁を周方向について該スリットよりも幅広に切り欠いて拡翼状態の前記一対の翼を嵌める１つの翼用溝を該スリットに連続して設け、前記プロテクタ本体の周方向について前記翼用溝の幅が、前記一対の翼が前記合掌状態から、該一対の翼が完全に開いている通常状態に戻る手前の状態である前記拡翼状態において、該一対の翼が該翼用溝に嵌まるように設定されていることを特徴とする。
【０００６】
使用済みになった翼付針が前記構成の翼付針用プロテクタに収納されるとき、まず、両翼が合掌状態にされてスリットの先端に差し入れられる。そして、合掌状態の両翼はスリットに沿って後方に徐々に摺動されて翼用溝に嵌められる。スリットは中空針よりも長いので、両翼が翼用溝に嵌められたとき該中空針はプロテクタ本体内に収納される。両翼は拡翼状態で翼用溝に嵌められるので、該両翼がスリットに沿って前方に摺動して中空針がプロテクタ本体から出るという事態を確実に防止することができる。従って、翼付針の廃棄処理を行う者は、針刺し事故や感染を回避して安全に作業を行うことができる。
【０００７】
前記スリットの先端部に先端に向かって開拡する案内溝を設けるとよい。これにより、合掌状態の両翼をスリットに容易に差し入れることができる。前記プロテクタ本体の周方向について前記翼用溝の幅が、前記一対の翼が前記合掌状態から、該一対の翼が完全に開いている通常状態に戻る手前の状態である前記拡翼状態において、該一対の翼が該翼用溝に嵌まるように設定されていてもよい。
【０００８】
【発明の実施の形態】
本発明の翼付針用プロテクタの実施形態について図面を用いて説明する。図１は本実施形態の翼付針用プロテクタ及び翼付針の斜視図であり、図２は本実施形態の翼付針用プロテクタの使用方法の説明図である。
【０００９】
図１に示すように翼付針１には、傾斜した刃面３を先端に有する略円筒状の中空針４と、該中空針４の後端を保持する略円筒状の保持筒５と、該保持筒５の径方向に対称に一体に形成され軟性の樹脂からなる１対の翼６とが設けられている。中空針４はチューブ７を介して図示しない医療器具に接続されている。
【００１０】
翼付針用プロテクタ２は、略円筒状の合成樹脂のプロテクタ本体８を備えている。プロテクタ本体８にはその側壁を軸方向に沿って切り込んで１本のスリット９が設けられ、該側壁を周方向に切り欠いてスリット９に連続する翼用溝１０が設けられている。後述するように、翼用溝１０に翼付針１の両翼６、６が嵌められたとき、中空針４がプロテクタ本体８内に収納されるようにスリット９は中空針４より長くされている。スリット９の先端部には先端に向かって開拡する案内溝１１が設けられている。プロテクタ本体８の中腹部には径方向に対称に側壁外周面を切削した凹部からなる把持部１２が設けられている。
【００１１】
前記構成の翼付針１によれば、図示しないが、両翼６、６は合掌状態で把持され、中空針４は刃面３を上に向けて患者の血管に穿入される。そして、両翼６、６は拡げられて粘着テープにより患者の皮膚に張り付けられ、翼付針１が固定される。しかる後、中空針４及びチューブ７を介して図示しない医療器具により採血等の医療行為が行われる。
【００１２】
医療行為後の翼付針１は患者から取り外されて廃棄されるが、廃棄に先立って翼付針用プロテクタ２に収納される。これについて図２を用いて説明する。まず、図２ａに示すように合掌状態にした両翼６、６を把持してスリット９に差し入れると、スリット９は両翼６、６の厚さに応じて開がる。スリット９の先端部には案内溝１１が設けられているので、合掌状態の両翼６、６を滑らかにスリット９に差し入れることができる。また、把持部１２を設けたことによりプロテクタ本体８を容易に把持できるので、翼付針用プロテクタ２の取り扱いが容易になる。図２ａに示した状態から両翼６、６をスリット９の後方に摺動させると、図２ｂに示すように両翼６、６は拡翼状態で翼用溝１０に嵌められ、中空針４はプロテクタ本体８内に納められ、スリット９は閉じる。
【００１３】
このように両翼６、６は拡翼状態で翼用溝１０に嵌められ、また、プロテクタ本体８はスリット９に沿って閉じられているので、両翼６、６がスリット９の前方に摺動することは防止される。即ち、一度収納された翼付針１が翼付針用プロテクタ２に対して動き、中空針４がプロテクタ本体８から飛び出る事態を防止することができる。従って、廃棄処理を行う者は針刺し事故や感染を確実に回避して安全に作業を行うことができる。
【００１４】
本実施形態においては、スリット９は通常は閉じられており、合掌状態の両翼６、６が差し入れられたときに初めて開く切れ目からなる。他の実施形態として、切れ目の代わりに、合掌状態の両翼６、６に対応した幅を有する切り溝としてもよい。かかる切り溝からなるスリットに対しても、合掌状態の両翼６、６を滑らかにプロテクタ本体８の後方に摺動させることができる。
【図面の簡単な説明】
【図１】本実施形態の翼付針用プロテクタ及び翼付針の斜視図
【図２】本実施形態の翼付針用プロテクタの使用方法の説明図
【符号の説明】
１‥翼付針、２‥翼付針用プロテクタ、４‥中空針、５‥保持筒、６‥翼、８‥プロテクタ本体、９‥スリット、１０‥翼用溝、１１‥案内溝
【図１】
0004115587.tif 000002
【図２】
0004115587.tif 000003